(57)【要約】【課題】  回転体のような被保持部材からの押圧力による保持爪の変形を制限でき、確実に回転体等の被保持部材の変位を規制できる保持構造及びウエビング巻取装置を得る。【解決手段】  センサギヤ４２の軸方向に沿ってセンサギヤ４２の本体４４に爪部６４が対向する保持爪６０の基部６２を介してセンサギヤ４２の本体４４とは反対側では、センサカバー６６を構成する周壁７０の内周部に規制リブ７８が形成されており、センサギヤ４２の回転半径方向外方側へ保持爪６０が撓むと爪部６４に規制リブ７８の幅広部８２が当接する。これにより、爪部６４と本体４４との対向状態が解消されてしまう前に、保持爪６０の撓みが規制されるため、過剰な力でセンサギヤ４２が爪部６４を押圧しても、保持爪６０がセンサギヤ４２の変位を規制できる。【選択図】    図３
2006213156.tif 000002
【特許請求の範囲】
【請求項１】
保持体に設けられた被保持部材を前記保持体により保持するための保持構造であって、
前記保持体に設けられ前記被保持部材の側方に位置する基部並びに前記基部の先端部に設けられた爪部を有し、前記被保持部材に前記爪部が干渉することで前記被保持部材を保持する保持爪と、
前記被保持部材から離間する方向へ前記基部が変形する際に前記保持爪に干渉して前記基部の変形を規制する規制手段と、
を備えることを特徴とする保持構造。
【請求項２】
前記基部を介して前記被保持部材とは反対側に設けられて、前記被保持部材から離間する方向へ前記基部が変形する際に前記保持爪に干渉する干渉部を前記規制手段とした、
ことを特徴とする請求項１に記載の保持構造。
【請求項３】
前記被保持部材に前記爪部が干渉した状態で前記被保持部材に対向する前記爪部の対向面を傾斜させ、
前記被保持部材に形成されて前記対向面の傾斜に一致し、前記干渉状態で前記対向面に対向すると共に、前記被保持部材から離間する方向へ前記基部が変形する際に前記対向面に干渉する干渉面を前記規制手段とした、
ことを特徴とする請求項１に記載の保持構造。
【請求項４】
長尺帯状のウエビングベルトの基端側が係止されたスプールを、直接又は間接的に支持するフレームと、
前記フレームの側方で前記スプールに対して同軸的に回転可能な回転体を有し、前記回転体が前記スプールと一体的に回転すること又は前記回転体が前記スプールに対して相対回転することで前記スプールをロックするロック手段と、
を含めて構成されるウエビング巻取装置であって、
前記フレームに取り付けられて前記回転体を回転自在に支持する保持体と、
前記回転体の側方で前記保持体に設けられた基部を有すると共に、前記基部の先端部に設けられた爪部が前記回転体を介して前記保持体とは反対側で前記回転体に対向し、前記回転体に干渉することで前記回転体の軸方向に沿った前記回転体の変位を規制する保持爪と、
前記回転体から離間する方向へ前記基部が変形する際に前記保持爪に干渉して前記基部の変形を規制する規制手段と、
を備えることを特徴とするウエビング巻取装置。
【発明の詳細な説明】
【技術分野】
【０００１】
本発明は、爪によって被保持体を保持する保持構造及び車両の乗員の身体を拘束する長尺帯状のウエビングベルトを巻き取って収納するウエビング巻取装置に関する。
【背景技術】
【０００２】
車両の座席に着座した乗員の身体を長尺帯状のウエビングベルトで拘束するシートベルト装置は、座席の側方で車体に固定されたウエビング巻取装置を備えている。この種のウエビング巻取装置は、車両急減速状態でウエビングベルトを装着した乗員の身体を確実に保持するためのロック機構があり、その一例が下記特許文献１に開示されている。
【０００３】
ロック機構はスプールに対して同軸的に相対回転自在なロッククラッチ体を備えている。また、ロック機構はスプールと共に回転するスプリング（戻しばね）を備えている。このスプリングの一端が上記のロッククラッチ体に係合しており、スプールが回転すると、スプリングがその付勢力でロッククラッチ体をスプールに追従回転させる構造になっている。
【０００４】
但し、車両が急減速状態になって、ウエビングベルトが急激に引っ張られることでスプールが急激に引出方向に回転しようとすると、ロッククラッチ体はスプールに追従できず、これにより、ロッククラッチ体とスプールとの間に相対回転が生じる。このようにロッククラッチ体とスプールとの間に相対回転が生じると、スプールの軸方向他端側に設けられたパウルが移動して、ウエビング巻取装置のフレームに形成された内歯のラチェットにパウルが噛み合う。
【０００５】
これにより、スプールはウエビングベルトが引き出される際の回転方向である引出方向への回転が規制され、ひいては、スプールからウエビングベルトを引き出すことが防止される。
【０００６】
このように、スプールからのウエビングベルトの引き出しら規制されることで、車両の急減速によって略車両前方側に慣性移動しようとする乗員の身体がウエビングベルトを引っ張っても、スプールからウエビングベルトが引き出されない。このため、乗員の身体に装着されているウエビングベルトにより乗員の身体が確実に保持され、略車両前方側への乗員の身体の慣性移動を規制できる。
【特許文献１】特開２００３−２１２０８６公報
【発明の開示】
【発明が解決しようとする課題】
【０００７】
ところで、上記のようなロック機構において、例えば、スプールの回転規制時や他の機構が作動した際に、ロッククラッチ体のようなスプールに対して相対回転可能な回転体に対して何らかの大きな外力が作用する。
【０００８】
このため、回転体の軸方向の変位を規制することを目的として、例えば、ロック機構の各部材を収容するケースにおける回転体の側方に保持爪を設け、更に、その先端の爪部を回転体の軸方向側方で対向させ、爪部を回転体に干渉させることで回転体の軸方向の変位を規制することが考えられる。
【０００９】
しかしながら、このような保持爪を形成しても、軸方向に変位しようとする回転体が保持爪の爪部に付与する押圧力が過剰であると、保持爪が変形し、十分に回転体の軸方向の変位を規制できない。
【００１０】
本発明は、上記事実を考慮して、回転体のような被保持部材からの押圧力による保持爪の変形を制限でき、確実に回転体等の被保持部材の変位を規制できる保持構造及びウエビング巻取装置を得ることが目的である。
【課題を解決するための手段】
【００１１】
請求項１に記載の本発明に係る保持構造は、保持体に設けられた被保持部材を前記保持体により保持するための保持構造であって、前記保持体に設けられ前記被保持部材の側方に位置する基部並びに前記基部の先端部に設けられた爪部を有し、前記被保持部材に前記爪部が干渉することで前記被保持部材を保持する保持爪と、前記被保持部材から離間する方向へ前記基部が変形する際に前記保持爪に干渉して前記基部の変形を規制する規制手段と、を備えることを特徴としている。
【００１２】
請求項１に記載の本発明に係る保持構造によれば、保持体に設けられた保持爪の基部が被保持部材の側方に位置しており、保持体から被保持部材が離間する方向に移動しようとすると爪部が被保持部材に干渉し、これにより、保持体から離間する方向への被保持部材の移動が規制され、保持体での被保持部材の保持が維持される。
【００１３】
また、被保持部材が爪部に干渉された際に被保持部材が爪部に付与する押圧力が過剰で、この押圧力により保持爪の基部が変形しようとすると、規制手段により保持爪が干渉され、この規制手段の干渉により基部の変形が規制される。
【００１４】
このように、基部の変形が規制されることで、被保持部材に対する爪部の干渉が維持され、これにより、上記のような過剰な押圧力が爪部に付与されても保持体での被保持部材の保持が維持される。
【００１５】
請求項２に記載の本発明に係る保持構造は、請求項１に記載の本発明において、前記基部を介して前記被保持部材とは反対側に設けられて、前記被保持部材から離間する方向へ前記基部が変形する際に前記保持爪に干渉する干渉部を前記規制手段とした、ことを特徴としている。
【００１６】
請求項２に記載の本発明に係る保持構造では、被保持部材が爪部に干渉された際に被保持部材が爪部に付与する押圧力が過剰で、この押圧力により保持爪の基部が変形しようとすると、基部を介して被保持部材とは反対側に設けられた干渉部が保持爪に当接して干渉し、被保持部材から離間する方向へ基部が変形を規制する。これにより、上記のような過剰な押圧力が爪部に付与されても保持体での被保持部材の保持が維持される。
【００１７】
なお、本発明において、干渉部は基部を介して被保持部材とは反対側に設けられて、基部が変形した際に保持爪に干渉できる構造であればよく、干渉部は保持体及び被保持部材とは異なる部材であってもよいし、保持体に干渉部を形成する構造であってもよい。
【００１８】
請求項３に記載の本発明に係る保持構造は、請求項１に記載の本発明において、前記被保持部材に前記爪部が干渉した状態で前記被保持部材に対向する前記爪部の対向面を傾斜させ、前記被保持部材に形成されて前記対向面の傾斜に一致し、前記干渉状態で前記対向面に対向すると共に、前記被保持部材から離間する方向へ前記基部が変形する際に前記対向面に干渉する干渉面を前記規制手段とした、ことを特徴としている。
【００１９】
請求項３に記載の本発明に係る保持構造では、被保持部材が爪部に干渉される際には、爪部に形成された対向面に対して被保持部材に形成された干渉面が当接する。
【００２０】
ここで、対向面が傾斜しており、この対向面の傾斜に一致するように干渉面が傾斜している。このため、基部が被保持体の外周部に対して離間する方向に変形しようとして、これに伴い、爪部が変位しようとすると、干渉面が対向面に干渉して爪部が変位、ひいては、基部の変形を規制する。これにより、保持体での被保持部材の保持が維持される。
【００２１】
請求項４に記載の本発明に係るウエビング巻取装置は、長尺帯状のウエビングベルトの基端側が係止されたスプールを、直接又は間接的に支持するフレームと、前記フレームの側方で前記スプールに対して同軸的に回転可能な回転体を有し、前記回転体が前記スプールと一体的に回転すること又は前記回転体が前記スプールに対して相対回転することで前記スプールをロックするロック手段と、を含めて構成されるウエビング巻取装置であって、前記フレームに取り付けられて前記回転体を回転自在に支持する保持体と、前記回転体の側方で前記保持体に設けられた基部を有すると共に、前記基部の先端部に設けられた爪部が前記回転体を介して前記保持体とは反対側で前記回転体に対向し、前記回転体に干渉することで前記回転体の軸方向に沿った前記回転体の変位を規制する保持爪と、前記回転体から離間する方向へ前記基部が変形する際に前記保持爪に干渉して前記基部の変形を規制する規制手段と、を備えることを特徴としている。
【００２２】
請求項４に記載の本発明に係るウエビング巻取装置によれば、フレームに設けられたロック手段の回転体がスプールと共に一体的に回転し、又は、回転体の静止状態を含めて回転体がスプールに対して相対回転した場合には、ロック手段が作動してロック手段によりスプールがロックされる。
【００２３】
これにより、スプールからのウエビングベルトの引き出しが規制され、ウエビングベルトにより乗員の身体を確実に拘束できる。
【００２４】
一方、本発明に係るウエビング巻取装置では、保持体に設けられた保持爪の基部が回転体の側方に位置しており、回転体の軸方向に沿って保持体から回転体が離間する方向に移動しようとすると爪部が回転体に干渉し、これにより、保持体から離間する方向への回転体の移動が規制され、保持体での回転体の保持が維持される。
【００２５】
また、回転体が爪部に干渉された際に回転体が爪部に付与する押圧力が過剰で、この押圧力により保持爪の基部が変形しようとすると、規制手段により保持爪が干渉され、この規制手段の干渉により基部の変形が規制される。
【００２６】
このように、基部の変形が規制されることで、回転体に対する爪部の干渉が維持され、これにより、上記のような過剰な押圧力が爪部に付与されても保持体での回転体の保持が維持される。
【発明の効果】
【００２７】
以上説明したように、本発明によれば、回転体や被保持部材からの押圧力による保持爪の変形を効果的に抑制でき、確実に回転体や被保持部材の変位を規制できる。
【発明を実施するための最良の形態】
【００２８】
＜第１の実施の形態の構成＞
図１には本発明の第１の実施の形態に係るウエビング巻取装置１０（本発明の第１の実施の形態に係る保持構造を適用したウエビング巻取装置１０）の要部の構成が分解斜視図によって示されている。また、図２には本ウエビング巻取装置１０（本保持構造を適用したウエビング巻取装置１０）の要部の構成が断面図によって示されている。
【００２９】
図１に示されるように、この図に示されるように、本ウエビング巻取装置１０はフレーム１２を備えている。フレーム１２は、例えば、略車両左右方向に沿って厚さ方向とされた板状の背板１４を備えており、背板１４がボルト等により、例えば、センターピラーの下端部近傍にて車体に固定されることで、本ウエビング巻取装置１０が車体に取り付けられる。
【００３０】
車両への取付状態で略車両前後方向に沿った背板１４の幅方向一端からは、一対の脚板１６、１８が車幅方向内方側（略車両左右方向の室内側）へ向けて屈曲形成されている。この脚板１６と脚板１８との間には、脚板１６と脚板１８との対向方向を軸方向とするスプール（図示省略）が配置されている。このスプールには長尺帯状のウエビングベルト（図示省略）の基端部が係止されており、渦巻きばね等の付勢手段の付勢力でスプールがその軸周り方向一方の巻取方向に回転することで、ウエビングベルトを基端側から巻き取って収納する。
【００３１】
脚板１６には脚板１６の厚さ方向に貫通した孔部２０が形成されており、スプールの軸方向一端又はスプールに対して同軸的且つ一体的に設けられたトーションシャフトの一端が孔部２０を貫通してフレーム１２の外側へ突出している。
【００３２】
また、脚板１６の脚板１８とは反対側（すなわち、脚板１６、１８の対向方向に沿った脚板１６の外側）にはロック手段としてのロック機構２２のケース２４を構成する保持体としてのセンサホルダ２６が設けられている。センサホルダ２６は底壁２８を備えている。
【００３３】
底壁２８は脚板１６に対して略平行な板状に形成されている。底壁２８には透孔３０が形成されており、スプールの一端やスプールに対して同軸的且つ一体的に設けられたトーションシャフトの一端が貫通している。底壁２８の外周部には縦壁３２が形成されいる。縦壁３２は所定の部位で切り欠かれており、底壁２８と脚板１６との間に配置されたプリテンショナ（図示省略）の一部が切欠部分を通過する。
【００３４】
また、縦壁３２の底壁２８とは反対側の端部には、複数の対向壁３４が形成されており、これらの対向壁３４には先割れの筒状部３６が脚板１６側へ向けて突出形成されている。これらの筒状部３６に対応して脚板１６には透孔３８が形成されており、センサホルダ２６をフレーム１２に装着する際には筒状部３６は透孔３８を貫通する。
【００３５】
また、上記の対向壁３４にはピン４０が形成されている。ピン４０は筒状部３６とは反対側へ向けて筒状部３６に対して同軸的に突出形成されており、筒状部３６が透孔３８を貫通した状態でピン４０と対向壁３４との連結部分を破断して筒状部３６内にピン４０を押し込むとピン４０により筒状部３６が押し広げられる。これにより、透孔３８からの筒状部３６の抜けが防止され、センサホルダ２６がフレーム１２に装着される。
【００３６】
一方、底壁２８の脚板１６とは反対側には、被保持部材又は回転体としてのセンサギヤ４２が設けられている。センサギヤ４２は、板状の本体４４を備えている。本体４４の略中央には透孔４６が形成されており、スプールの一端やスプールに対して同軸的且つ一体的に設けられたトーションシャフトの一端が貫通する。これにより、本体４４（すなわち、センサギヤ４２）はスプールに対して同軸的に相対回転可能にスプールの一端又はトーションシャフトの一端に軸支される。
【００３７】
また、本体４４の外周一部には保持部４８が設けられている。保持部４８は本体４４の回転軸方向に対して平行なシャフト５０を備えている。シャフト５０は保持部４８からセンサホルダ２６とは反対側へ向けて突出形成されている。シャフト５０には連結爪５２がシャフト５０周りに揺動可能に軸支されている。
【００３８】
この連結爪５２の下側には図示しない加速度センサが設けられ、車両急減速状態を加速度センサが検出した際に加速度センサを構成する押圧突起が連結爪５２を押し上げることで、連結爪５２がシャフト５０周りに揺動する構成になっている。
【００３９】
さらに、連結爪５２に対応してロック機構２２は図示しないＶギヤを備えている。Ｖギヤは外周部にラチェット歯が形成されたラチェットホイールで、センサギヤ４２の側方でスプールに対して同軸的且つ一体的に回転可能に設けられる。
【００４０】
連結爪５２は揺動することでＶギヤのラチェット歯に接離し、加速度センサの押圧突起に連結爪５２が押し上げられて揺動することでＶギヤのラチェット歯に接近し、Ｖギヤのラチェット歯に連結爪５２が係合する。この係合状態でスプールに巻き取られたウエビングベルトが引き出される際のスプールの回転方向（以下、この回転方向を、便宜上、「引出方向」と称する）にＶギヤが回転すると、センサギヤ４２がＶギヤと共に回転する。
【００４１】
また、保持部４８には角棒状の押圧片５４が設けられている。押圧片５４は保持部４８からセンサホルダ２６側へ延びるように形成されており、その先端側はセンサホルダ２６の底壁２８に形成された孔部５６を貫通してセンサホルダ２６の外側へ延出され、脚板１６の孔部２０に入り込んでいる。
【００４２】
孔部２０に入り込んだ押圧片５４の先端側に対応して孔部２０にはロックパウル（図示省略）が設けられている。ロックパウルはスプールに対して平行な軸周りに揺動可能にフレーム１２やフレーム１２に機械的に結合される他の部材に軸支されており、Ｖギヤと共にセンサギヤ４２が引出方向に回転すると、押圧片５４がパウルを押圧して揺動させ、孔部２０の内側でスプール又はトーションシャフトの一端に同軸的且つ一体的に設けられたロックベース（図示省略）に接近する。
【００４３】
ロックベースの外周部にはラチェット歯が形成されており、ロックベースにパウルが接近すると  ロックベースのラチェット歯にパウルが噛み合い、引出方向へのロックベースの回転、ひいては、スプールの引出方向への回転を規制する。
【００４４】
一方、底壁２８には複数の保持爪６０が形成されている。保持爪６０は棒状の基部６２を備えている。基部６２は本体４４（センサギヤ４２）の回転半径外側側方で、底壁２８から脚板１６とは反対側へ向けて突出形成されている。
【００４５】
さらに、基部６２の先端には爪部６４が形成されている。爪部６４は基部６２の先端から本体４４（センサギヤ４２）の回転半径内方側へ突出するように形成されており、本体４４の回転軸方向に沿って本体４４の底壁２８とは反対側で本体４４と対向している。
【００４６】
また、センサホルダ２６の脚板１６とは反対側にはセンサカバー６６が設けられており、センサホルダ２６の底壁２８とセンサカバー６６に囲まれた空間内に上記のセンサギヤ４２を含んだロック機構２２を構成する各部材が収容、配置される。
【００４７】
図１及び図２に示されるように、センサカバー６６は底壁２８に対して略平行な底壁６８を備えている。底壁６８の外周部にはセンサホルダ２６側へ向けて周壁７０が延出されている。周壁７０はその内側にセンサホルダ２６の底壁２８を収容できる程度の大きさに形成されている。
【００４８】
また、周壁７０の先端（底壁２８とは反対側の端部とは反対側）の所定部位には嵌合片７２が形成されている。嵌合片７２には、その厚さ方向に貫通した透孔７４が形成されている。
【００４９】
嵌合片７２に対応して脚板１６の外周部には嵌合突起７６が突出形成され、嵌合突起７６が嵌合片７２の透孔７４に入り込むことでセンサカバー６６が脚板１６に嵌合固定される構造になっている。
【００５０】
また、センサカバー６６の内側には干渉部として規制手段を構成する規制リブ７８が形成されている。規制リブ７８は例えば周壁７０の内周部に形成されており、センサカバー６６を脚板１６（フレーム１２）に装着した状態で保持爪６０の基部６２を介してセンサギヤ４２の本体４４とは反対側に位置する。
【００５１】
規制リブ７８は、直線部８０を備えている。直線部８０は概ね保持爪６０の基部６２に対して平行に形成されている。周壁７０とは反対側の直線部８０の端部は、基部６２に当接しているか、又は、周壁７０とは反対側の直線部８０の端部と基部６２との間には予め設定された隙間が形成されている。
【００５２】
このような直線部８０と基部６２との間に隙間を設ける場合、この隙間の大きさに関しては特に限定されるものではないが、隙間の大きさの一例としては、センサギヤ４２の回転半径方向に沿って本体４４の外周部から爪部６４の先端までの距離よりも、直線部８０と基部６２との間に隙間を短くすることがあげられる。
【００５３】
直線部８０の底壁６８側の端部からは連続して幅広部８２が形成されている。幅広部８２は直線部８０に接続された部分から底壁６８側へ向けて漸次幅広の直角三角形状又は台形状に形成されており、その斜辺部８２Ａは保持爪６０の爪部６４に向いている。
【００５４】
＜第１の実施の形態の作用、効果＞
次に、本ウエビング巻取装置１０の作用並びに効果について説明する。
【００５５】
本ウエビング巻取装置１０では、車両急減速状態を連結爪５２の下方の加速度センサが検出すると、加速度センサの押圧突起が連結爪５２を押圧してシャフト５０周りに連結爪５２を揺動させる。これにより、連結爪５２はシャフトと一体的に回転するＶギヤに噛み合う。
【００５６】
このように連結爪５２がＶギヤに噛み合った状態で、車両急減速時の慣性で車両の乗員がウエビングベルトを引っ張り、スプールを引出方向に回転させると、Ｖギヤと共にセンサギヤ４２が引出方向に回転する。
【００５７】
センサギヤ４２が引出方向に回転すると、センサギヤ４２の押圧片５４がパウルを押圧してロックベースに接近移動させる。これにより、パウルがロックベースに噛み合い、ロックベースの引出方向への回転、ひいては、スプールの引出方向への回転が規制され、スプールからのウエビングベルトの引き出しが規制される。
【００５８】
ここで、上記のように、センサギヤ４２がＶギヤと共に引出方向に急激に回転した際や、引出方向に回転しようとするロックベースの過剰な回転力がパウル及び押圧片５４を介してセンサギヤ４２の本体４４に伝わった場合、更には、ロック機構２２の近傍に配置されるプリテンショナ機構が作動した場合等に、センサギヤ４２がその周方向のみならず、軸方向に沿ってセンサホルダ２６から離間する方向に変位しようとすると、保持爪６０の爪部６４が本体４４に干渉し、これにより、本体４４、すなわち、センサギヤ４２の軸方向の変位が規制される。
【００５９】
このように、センサギヤ４２の軸方向に沿った変位が保持爪６０にて規制されることで、センサギヤ４２が不用意にセンサホルダ２６から離間することがなく、所定の位置でセンサギヤ４２が回転可能に保持される。
【００６０】
ところで、センサギヤ４２がその軸方向に沿ってセンサホルダ２６から離間しようとした際に、本体４４が保持爪６０の爪部６４を押圧する力が大きいと、本体４４から受けた力により、図３の仮想線（二点鎖線）で示される状態から実線で示される状態まで、爪部６４を含めて保持爪６０の先端側がセンサギヤ４２の回転半径方向外方側へ図３の仮想線（二点鎖線）状態で撓もうとする。
【００６１】
ここで、本ウエビング巻取装置１０では、上記のように、保持爪６０を介してセンサギヤ４２の本体４４とは反対側には規制リブ７８が設けられており、保持爪６０の先端側がセンサギヤ４２の回転半径方向外方側へ撓もうとすると、規制リブ７８の幅広部８２が保持爪６０の爪部６４に干渉し、又は、図３では示されていないが規制リブ７８の直線部８０が保持爪６０の基部６２に干渉する。
【００６２】
このように、保持爪６０に規制リブ７８が干渉することで、センサギヤ４２の回転半径方向外方側への保持爪６０の撓曲が規制される。保持爪６０の撓曲が規制されることで、センサギヤ４２の軸方向に沿った爪部６４と本体４４との対向状態が解消されることがなく、爪部６４により確実にセンサギヤ４２の軸方向の変位を規制できる。
【００６３】
＜第２の実施の形態＞
次に、本発明の第２の実施の形態について説明する。なお、本実施の形態を説明するうえで、前記第１の実施の形態と基本的に同一の部位に関しては、同一の符号を付与してその詳細な説明を省略する。
【００６４】
図４には本実施の形態に係るウエビング巻取装置９０（本実施の形態に係る保持構造を適用したウエビング巻取装置９０）の要部の構成の概略が断面図により示されている。
【００６５】
この図に示されるように、本ウエビング巻取装置９０を構成するセンサギヤ４２の本体４４には規制手段としての干渉面９２が形成されている。干渉面９２は本体４４の外周部のフランジ部９４に形成されており、脚板１６（図４では図示省略）とは反対側（図４の上方）への向きに対して本体４４の回転半径方向内方側へ傾斜している。
【００６６】
一方、本ウエビング巻取装置９０のセンサホルダ２６には保持爪６０に変わり保持爪９６が形成されている。保持爪９６には爪部６４が形成されておらず、代わりに爪部９８が形成されている。爪部９８には対向面１００が形成されている。
【００６７】
対向面１００は脚板１６側（図４の下方）に対してセンサギヤ４２の回転半径方向外方側へ傾斜しており、スプールやトーションシャフトの一端にセンサギヤ４２を軸支させた状態でセンサホルダ２６をフレーム１２に装着した状態では、センサギヤ４２の回転軸方向に対して回転半径方向に傾斜した方向に沿って対向面１００が干渉面９２に対向する。
【００６８】
以上の構成を特徴とする本ウエビング巻取装置９０では、センサギヤ４２がその軸方向に沿ってセンサホルダ２６から離間しようとした場合には、干渉面９２が対向面１００を押圧する。ここで、干渉面９２は脚板１６とは反対側、すなわち、センサホルダ２６の底壁２８から離間する向きに対してセンサギヤ４２の回転半径方向内方側へ傾斜している。
【００６９】
このため、干渉面９２が対向面１００に付与する押圧力の向きは、センサホルダ２６の底壁２８から離間する向きに対してセンサギヤ４２の回転半径方向内方側へ傾斜した方向となる。したがって、このようなセンサギヤ４２の回転半径方向内方側へ傾斜した押圧力を対向面１００が受けることで、保持爪９６はセンサギヤ４２の回転半径方向外方側へ撓むことが抑制される。
【００７０】
しかも、この状態で、仮に、保持爪９６がセンサギヤ４２の回転半径方向外方側へ撓もうとすると、対向面１００に当接している干渉面９２が、センサギヤ４２の回転半径方向外方側への対向面１００の変位を規制する。これによっても保持爪９６はセンサギヤ４２の回転半径方向外方側へ撓むことが抑制され、干渉面９２と対向面１００との対向状態が維持され、爪部９８により確実にセンサギヤ４２の軸方向の変位を規制できる。
【００７１】
なお、上記の各実施の形態は、ウエビング巻取装置１０、９０のセンサホルダ２６におけるセンサギヤ４２の構造に請求項１乃至請求項３に記載の本発明を適用した構成であった。
【００７２】
しかしながら、請求項１乃至請求項３に記載の本発明がこのようなセンサホルダ２６におけるセンサギヤ４２の構造に限定されるものではなく、ウエビング巻取装置１０の他の部材やウエビング巻取装置１０以外の各種装置における被保持部材の保持構造に適用してもよい。
【図面の簡単な説明】
【００７３】
【図１】本発明の第１の実施の形態に係るウエビング巻取装置１０（本発明の第１の実施の形態に係る保持構造を適用したウエビング巻取装置１０）の要部の構成を示す分解斜視図である。
【図２】本発明の第１の実施の形態に係るウエビング巻取装置１０（本発明の第１の実施の形態に係る保持構造を適用したウエビング巻取装置１０）の要部の構成を示す分断面図である。
【図３】係合爪が撓みを抑制している状態を示す概略的な断面図である。
【図４】本発明の第２の実施の形態に係るウエビング巻取装置１０（本発明の第２の実施の形態に係る保持構造を適用したウエビング巻取装置１０）の要部の構成を示す分断面図である。
【符号の説明】
【００７４】
１０    ウエビング巻取装置
１２    フレーム
２２    ロック機構（ロック手段）
２６    センサホルダ（保持体）
４２    センサギヤ（被保持部材、回転体）
６０    保持爪
６４    爪部
７８    規制リブ（干渉部、規制手段）
９０    ウエビング巻取装置
９２    干渉面（規制手段）
９６    保持爪
９８    爪部
１００    対向面
【図１】
2006213156.tif 000003
【図２】
2006213156.tif 000004
【図３】
2006213156.tif 000005
【図４】
2006213156.tif 000006